(57)【特許請求の範囲】
【請求項１】
SECAM 伝送標準のカラー映像信号であることを同定識別するための回路配置であって、
該カラー映像信号は、SECAM カラー映像信号の画像ラインごとに一番目及び二番目のカラーバーストを交互に含み、
上記回路配置は逓倍器及びその後位に低域通過フィルタを有し；該低域通過フィルタの出力信号は整流器に与えられ；該整流器はそれに与えられた信号を整流し且つ該信号を上記カラー映像信号の各二番目の画像ラインごとの間に反転し、それによって上記回路配置に与えられるSECAM カラー映像信号内の出力信号は常に予め定められた極性を持つようにし；また、上記逓倍器の後位には積分器を有し；該積分器の出力信号が、SECAM カラー映像信号であることを表示する回路配置において、
上記カラー映像信号はミクサに与えられ、該ミクサは少なくともカラー映像信号中のカラーバーストを更に低い周波数に逓減させ；
上記ミクサの出力信号は上記逓倍器の一番目の入力に与えられ；
また、上記ミクサの出力信号は共振回路に結合し；
該共振回路の自然共振周波数は上記下向きに変換された赤カラーバーストの周波数と上記下向きに変換された青カラーバーストの周波数との中間にあり；
上記共振回路の共振信号は上記逓倍器の二番目の入力に結合する；
ことを特徴とする回路配置。
【請求項２】
請求項１に記載の回路配置において、上記逓倍器は帰線消去信号を受信し、該帰線消去信号は、該逓倍器に与えられる信号がカラーバーストを含む期間に限り出力信号を供給するように上記逓倍器を制御することを特徴とする回路配置。
【請求項３】
請求項１又は２に記載の回路配置において、上記積分器の出力信号は比較器に与えられ、該比較器は上記出力信号を１つのしきい値信号と比較し、その比較結果に依存して同定識別信号を供給することを特徴とする回路配置。
【請求項４】
請求項１ないし３のうちのいずれか１項に記載の回路配置において、上記ミクサはそれに与えられたカラー映像信号を、5.06 MHzという周波数を持つ信号と混合することを特徴とする回路配置。
【請求項５】
請求項１ないし４のうちのいずれか１項に記載の回路配置において、上記共振回路の自然共振周波数は、それに与えられる上記下向きに変換されたカラーバーストの周波数の平均値に対応するものであることを特徴とする回路配置。
【請求項６】
請求項１ないし５のうちのいずれか１項に記載の回路配置において、上記積分器はキャパシタンスを持ち、該キャパシタンスは上記比較器の入力に結合し、また PAL同定識別回路が上記カラー映像信号を PAL伝送標準の信号であると識別するときには、上記キャパシタンスは抵抗を介して放電することを特徴とする回路配置。
【発明の詳細な説明】
【０００１】
【発明の属する技術分野】
本発明は、SECAM 伝送標準のカラー映像信号(color picture signal)であることを同定識別(identify)するための回路配置であって、該信号は SECAMカラー映像信号の画像ライン(picture line)ごとに一番目及び二番目のカラーバースト(color burst) を交互に含み；上記回路配置は逓倍器(multiplier)及びその後位に低域通過フィルタを有し；該低域通過フィルタの出力信号は整流器(rectifier) に与えられ；該整流器はそれに与えられた信号を整流し且つ該信号を上記カラー映像信号の各二番目の画像ラインごとの間に反転(invert)し、それによって上記回路配置に与えられた SECAMカラー映像信号内の出力信号は常に予め定められた極性を持つようにし；また、上記逓倍器の後位には積分器(integrator)を有し；該積分器の出力信号が、SECAM カラー映像信号であることを表示する回路配置に関する。
【０００２】
【従来の技術】
そのような回路配置は Philips社の市販するTDA 4720という集積回路から既知である。この既知の回路では、同定識別されようとするカラー映像信号は、変更されない形で逓倍器の１つの入力に与えられ、また、位相シフトされた形で逓倍器の２番目の入力に与えられる。この目的のために、上記カラー映像信号、特にカラー映像信号中のカラーバーストは並列共振回路に与えられ、該共振回路は逓倍器の上記２番目の入力に結合する。上記並列共振回路の共振周波数は２つのカラーバーストの周波数の中間に在る。その結果、上記２番目の入力では、正又は負の位相シフトが生起し、その正負の符号は２つのカラーバーストのうちのどちらが生じたかに依存する。位相シフトの正負の符号に依存して異なる符号を持つパルスが低域通過フィルタの出力ni生じる。これらのパルスは整流器に与えられて、該整流器は更に、上記カラー映像信号の各二番目の画像ラインごとに上記パルスの符号を反転する。SECAM 信号においては、上記整流器は常に同じ正負の符号を持つパルスを供給する。SECAM 信号が生起するとその後の積分器は SECAM標準であるか否かを同定識別するのに用いられる出力信号を供給する。
【０００３】
この回路配置には欠点があり、それは上記逓倍器の２番目の入力に結合する並列共振回路が調整を要することである。その理由は、該共振回路の自然共振周波数は SECAM標準の２つのカラーバーストの周波数の中間にあることを要するからである。
【０００４】
【発明が解決しようとする課題】
本発明の目的はこの回路配置を改良して全集積化し且つ何らの調整を必要としないようにすることである。
【０００５】
【課題を解決するための手段】
本発明によればこの目的は、上記カラー映像信号がミクサに与えられ；該ミクサは少なくともカラー映像信号中のカラーバーストを更に低い周波数に逓減させ；上記ミクサの出力信号は上記逓倍器の１番目の入力に与えられ；また上記ミクサの出力信号は共振回路に結合し；該共振回路の自然共振周波数は上記下向きに変換された(down-converted)赤カラーバーストの周波数と上記下向きに変換された青カラーバーストの周波数との中間にあり；上記共振回路の共振信号は上記逓倍器の２番目の入力に結合する；ことにより解答が与えられる。
【０００６】
本発明によるこの回路配置では、同定識別しようとするカラー映像信号を受信するミクサが逓倍器の前にある。該ミクサは該カラー映像信号又は少なくともこのカラー映像信号内のカラーバーストを更に低い周波数に変換する。ミクサからの出力信号は変更を加えないで逓倍器の１番目の入力に与えられる。更にミクサからのこの出力信号は並列共振回路に与えられる。該共振回路の自然共振周波数は下向きに変換されたカラー映像信号内のカラーバーストの周波数の中間にある。該共振回路は逓倍器の２番目の入力に結合する。
【０００７】
逓倍器の入力では、カラーバーストは従来の技術に比して明確に低い周波数になっている。下向きに変換されたカラーバーストは、逓倍器の１番目の入力に現れるときに比して位相シフトされたものが逓倍器の２番目の入力に現れる。もし下向きに変換されたカラーバーストの周波数が並列共振回路の自然共振周波数より上にあれば、この信号は +90°位相シフトされたものが逓倍器の２番目の入力に現れる。またもし下向きに変換されたカラーバーストの周波数が並列共振回路の自然共振周波数より下にあれば、この信号は -90°位相シフトされたものが逓倍器の２番目の入力に現れる。
【０００８】
この位相シフトの±の符号に依存して逓倍器はその出力に異なる混合結果を供給する。また、この位相シフトに依存してその後位の低域通過フィルタの出力には正又は負のパルスが現れる。
【０００９】
SECAM 標準のカラー映像信号内のカラーバーストの周波数はラインごとに交替するから、低域通過フィルタの出力にはラインごとに符号の交替するパルスが現れる。
【００１０】
低域通過フィルタの後位にある整流器は単に整流を行うばかりでなく、カラー映像信号の各２番目のラインごとのパルスの符号を反転させる。SECAM 標準のカラー映像信号内では、これらのパルスの符号はラインごとに交代するから、整流器の出力におけるパルスは常に同じ符号を持つ。このパルスが積分器に与えられて、その出力信号が SECAMカラー映像信号の存在を同定識別する。
【００１１】
例えば、もし PALカラー映像信号が SECAMカラー映像信号の代わりに上記回路配置の入力に存在するならば、該カラー映像信号中のカラーバーストはラインごとに同じ周波数を持つ。すると整流器回路の出力におけるパルスは反転に応じて各２番目のラインごとに極性が交替して現れる。その結果、交互の極性を持つ積分器のパルスは上向きに積分されて(integrated upwards)近似的に相殺され、積分器は殆ど０に近い信号を供給する。
【００１２】
カラー映像信号又はこのカラー映像信号内のカラーバーストのミクサによる下向きの変換は、ミクサの後ろのカラーバーストの周波数が明確に低くなるという利点を持つ。その結果、並列共振回路の自然共振周波数はこれらの下向きに変換されたカラーバーストの周波数の中間になければならないという条件は、従来の技術に比して本質的に単純なやり方で満足させることができる。例えば従来の技術における並列共振回路の自然共振周波数の５％の差は既に並列共振回路の共振周波数が２つのカラーバーストの周波数の中間には最早やいないという結果をもたらす。それとは対照的に、本発明による回路配置では、下向きに変換されたカラーバーストの周波数の正確に中間にある理想的な場合から自然共振周波数の５％の差があっても上記のようなことは起こらない。５％の差があってもなお共振周波数は依然として下向きに変換されたカラーバーストの２つの周波数の中間にある。そのとき本回路配置は何の問題もなく動作する。
【００１３】
このことが２つの利点をもたらす、すなわち並列共振回路は最早や調整の必要がない。更に、並列共振回路は下向きに変換されたカラーバーストの周波数の中間の周波数から乖離する自然共振周波数のパーセンテージで表す差が更に大きくても許容されるので、集積回路として集積することができる。該回路のその他の部分も何らかのやり方で集積化できるから、カラー映像信号の伝送標準を同定識別するための回路配置全体を完全に集積化することができる。
【００１４】
本発明による回路配置の一実施例は、上記逓倍器が帰線消去信号を受信し、該帰線消去信号は、該逓倍器に与えられる信号がカラーバーストを含む期間に限り出力信号を供給するように上記逓倍器を制御することを特徴とする。
【００１５】
低域通過フィルタ又はその後ろの整流器の周波数パルスを評価するためには、カラーバースト以外のすべての信号を帰線消去するのが有利である。ビデオレコーダ内ではカラーバーストの所在位置は同定識別されるから、そのような帰線消去信号はいずれにしても存在する。本発明の回路配置では、逓倍器に与えられる下向きに変換されたカラー映像信号内にカラーバーストが生起する期間に限りこの逓倍器を起動させるために、そのような帰線消去信号の１つを有利に用いることができる。
【００１６】
本発明による回路配置のもう１つの実施例では、上記積分器の出力信号は比較器に与えられ、該比較器はこの出力信号を１つのしきい値信号と比較し、その比較結果に依存して同定識別を供給する。
【００１７】
SECAM カラー映像信号の存在を同定識別する積分器の出力信号は、SECAM 伝送標準のカラー映像信号の存在を直接識別する同定識別信号を供給するところの、そのような比較器を用いて評価されることが有利であろう。
【００１８】
本発明による回路配置のもう１つの実施例では、上記ミクサはそれに与えられたカラー映像信号を、5.06 MHzという周波数を持つ信号と混合する。
【００１９】
この周波数の信号で動作するミクサはいずれにしてもビデオレコーダ内に存在する。これらのレコーダでは、カラーバースト、及びカラー映像信号の、上は元来の周波数から下はそれらがテープに記録される周波数である625kHzという低周波に至るまでのカラー映像信号の、その他のクロミナンス信号を混合するのに、ミクサが用いられる。本発明による回路配置では、このミクサを伝送標準の識別にも用いれば有利であろう。従ってこのミクサはこのように２番目の目的にも使用される。
【００２０】
並列共振回路の自然共振周波数は下向きに変換されたカラーバーストの周波数の中間になければならないから、本発明による回路配置のもう１つの実施例は、上記共振回路に与えられる上記下向きに変換されたカラーバーストの周波数の平均値に対応するような自然共振周波数を、上記共振回路が持つことを特徴とする。このことは自然共振周波数に恐らく生起するであろう公差のある場合に２つの周波数限界に同じ変動の範囲を与える。
【００２１】
本発明による回路配置のもう１つの実施例では、上記積分器はキャパシタンスを持ち、該キャパシタンスは上記比較器の入力に結合し、また PAL同定識別回路が上記カラー映像信号を PAL伝送標準の信号であると識別するときには、上記キャパシタンスは抵抗を介して放電する。
【００２２】
多くの受信機は、SECAM 伝送標準であることを同定識別する回路配置とは独立に、PAL 伝送標準のカラー映像信号であることを同定識別するための回路配置をも含んでいる。一般的に、この両方の回路配置は相互に独立に動作する。そして従来はこのことが、SECAM カラー映像信号であることを識別する回路配置の高感度と、この回路配置の PAL信号に対する不感度との間の、妥協点を見出さなければならないという問題点を持っていた。SECAM 信号を間違いなく識別することを保証するためには、SECAM 信号の同定識別は高感度であることを要する。ところがビデオレコーダにおける隣接トラックの漏話成分と共に生起することのある PAL信号に対しては不感でなければならない。特殊の環境では、これらの漏話成分は誤った同定識別に及ぶことさえある。
【００２３】
もし本発明の回路配置中に PAL信号が生じたときにキャパシタンスを放電させるために PAL同定識別回路の出力信号が付加して用いられるならば、同定識別の安全性の改善が達成される。 PAL同定識別回路が PAL信号を確認したときに恐らく生起するであろう干渉信号は、 SECAM同定識別回路が SECAM信号を識別するようにさせることができない。
【００２４】
これら及びその他の本発明の態様は以下に記載する実施例から明らかであり、それは以下に記載の実施例を引用することにより解明される。
【００２５】
【実施例】
図１に概略ブロック図の形で示す SECAM伝送標準のカラー映像信号を同定識別するための回路配置は、カラー映像信号ＶINを該標準の同定識別のためにその入力で受信する。該回路配置の内部で、この信号はミクサ１に与えられ、そこで周波数が 5.06MHzの正弦信号と混合される。ミクサ１からの対応する下向きに変換された出力信号は逓倍器３の一番目の入力２に与えられる。該出力は更に並列共振回路４にも与えられる。
【００２６】
SECAM 伝送標準のカラー映像信号中のカラーバーストは4.406MHz及び4.250MHzの周波数を持つ。これらのカラーバーストは周波数が 5.06MHzにおける混合により 0.81MHz及び0.654MHzの周波数に下向きに変換される。理想的な場合には、並列共振回路４の自然共振周波数は正確にこれら２つの周波数の中間になければならない。従って理想的な場合にはそれは0.732MHzである。
【００２７】
上記並列共振回路４は逓倍器３の二番目の入力５に接続される。
【００２８】
もし高周波すなわち 0.81MHzの下向きに変換されたカラーバーストがミクサ１の出力信号中に生じるならば、そのときミクサ１の出力信号は並列共振回路４の影響により約 +90°だけ位相シフトされる。それはこの形で逓倍器３の二番目の入力５に与えられる。反対の場合、すなわち下向きに変換されたカラーバーストの周波数が0.654MHzの場合には、逓倍器３の二番目の入力５には約 -90°の位相シフトがある。この位相シフトの±の符号に依存して、逓倍器３はその出力に異なる極性の信号供給する。
【００２９】
ミクサが、カラーバーストを同定識別するその出力信号中にそれらの信号のみを供給するために、逓倍器３は帰線消去信号BKを受信し、該帰線消去信号BKは、該逓倍器３の入力２及び５に存在する下向きに変換されたカラー映像信号中にカラーバーストが生じるときにのみ逓倍器３を起動させる。
【００３０】
逓倍器３の出力信号は低域通過フィルタ６に与えられ、該低域通過フィルタの出力信号は整流器７に与えられる。整流器７はそれに与えられた信号を整流する。そればかりでなく整流器７は、カラー映像信号中の各２番目のライン毎にその出力に供給される信号の極性を反転する。この目的のために該整流器７は切替え信号ｆH/2 を受信する。
【００３１】
もしカラー映像信号ＶINが SECAM標準の信号であるならば、周波数の異なる２つのカラーバーストが交互にカラー映像信号中の画像ライン中に生じる。そうすると、逓倍器３及び低域通過フィルタ６はそれらの出力で、極性の異なる信号を交互に供給する。整流器７を用いての極性の切替えに応答して、 SECAMカラー映像信号の場合には、常に同じ符号を持つパルスがその出力に生じる。
【００３２】
これらのパルスは、整流器７の後位に置かれた積分器８に与えられる。図１では更に、積分器８の一部をなすキャパシタンス９が分離して示されている。
【００３３】
積分器８に与えられたパルスはキャパシタンス９を用いて上向きに積分される。上向きに積分されたこの信号は比較器11の一番目の入力10に与えられる。しきい値信号ＶS が比較器11の二番目の入力12に与えられる。
【００３４】
もし上記回路配置の入力に与えられる信号ＶINが SECAM標準の信号であるならば、整流器回路７の出力に在るパルスは、上述のように常に同じ符号を持つ。これらのパルスは、積分器回路８及びこの積分器回路内のキャパシタンス９を用いて、上向きに積分される。そうすると積分器８の出力信号は、相対的に僅かな変動しかしないところの所定の電圧値を供給する。この電圧値は比較器11を用いてしきい値信号ＶS と比較される。このしきい値信号の値は、SECAM 伝送標準のカラー映像信号が生じたときに、比較器11がその出力に同定識別信号ＶSEC を供給するように選定される。
【００３５】
図１に示す回路配置を用いる装置が更に、PAL 伝送標準のカラー映像信号を同定識別するための（図１に示されていない）別に在る回路を用いることがあり、該回路はその同定識別信号を用いてキャパシタンス９を放電させ、それにより同定識別の安全性を更に大きくするのである。この目的のためにスイッチ13が設けられ、これは上記 PAL伝送標準のカラー映像信号を同定識別するための（図１に示されていない）回路がそのような PAL信号を同定識別して、スイッチ13を閉じたときにのみ、抵抗14を介してキャパシタンス９を放電させる。こうして置くと PAL信号が存在するときに、図１に示す回路配置が、例えばビデオレコーダ中の隣のトラックによる干渉によって SECAM伝送標準のカラー映像信号を同定識別しないようにさせることを保証する。
【００３６】
次に、図１に示す回路配置の動作が、図２及び図３に時間の関数として示されている該回路内に生起する信号を引用して説明される。
【００３７】
図２は、例えば図１に示す回路配置の逓倍器３の一番目の入力２に与えられるカラー映像信号Ａを示している。この信号は、各画像ラインの始めにカラーバーストf0R'及びf0B'が生じているところの下向きに変換されたカラー映像信号である。このカラー映像信号は既に図１に示す回路配置のミクサ１を用いて下向きに変換されているのだから、図２に示す信号Ａのこれらのカラーバーストは 0.81MHz及び0.654MHzの周波数を持っている。同様の信号であるが位相シフトされている信号が図１に示す回路配置の逓倍器３の二番目の入力５に与えられる。
【００３８】
図２の特性曲線Ｂは、図１に示す回路配置の低域通過フィルタ６の出力信号を表す。正及び負のパルスが信号Ｂの特性曲線中に確認できる。正のパルスは、逓倍器３の二番目の入力５に与えられる信号が、一番目の入力２に与えられる信号に対して、正の側に位相シフトされるときに生じる。これは信号f0R'が下向きに変換されたカラーバースト中に生じ、並列共振回路４の自然共振周波数より高い0.81 MHzという周波数を持つ場合である。
【００３９】
反対の場合、すなわち信号f0B'が下向きに変換されたカラー映像信号中に生じて、並列共振回路４の自然共振周波数より下の0.654MHzという周波数を持つ場合には、負のパルスが信号Ｂ中に生じる。
【００４０】
図２の特性曲線Ｃは、図１に示す回路配置の整流器７の出力信号を表す。上述のように整流器７は単に整流を行うのみならず、カラー映像信号ＶINの各２番目の画像ライン毎の間に極性を切り替えることも行う。もし信号Ａが SECAM伝送標準の信号であって、図２の中でf0R'及びf0B'と表されている異なる周波数のカラーバーストが交互に生じているならば、信号Ｂの中に交互の極性を持って生起するパルスは、整流され且つこの極性を切り替えることにより反転される。その切替えのやり方は、図２の特性曲線Ｃで示すような唯１つの極性、すなわちこの場合には正の極性のみを整流器７の出力信号の中に持つパルスが生起するようにするのである。これら正の極性を持つパルスが図１に示す回路配置中の積分器８に与えられる。この積分器の出力信号は図２の特性曲線Ｄによって示される。この特性曲線は変動の小さい正の信号を示している。従って、図１の回路配置の比較器11は SECAM伝送標準のカラー映像信号の存在を同定識別する識別信号であるところの信号ＶSEC を常に供給する。
【００４１】
図３は、図２のそれらに対応する特性曲線ＡないしＤを示す。
【００４２】
しかし図３の場合には、カラー映像信号Ａは PAL伝送標準の信号である。各画像ラインの始めにそれは常に同じ周波数のカラーバーストを持つ。そうすると、図１に示す回路配置の低域通過フィルタ６の出力に在るパルスは常に同じ符号を持っている。すると整流器７を用いて交互に極性を切り替えることにより、その出力信号は、図３の特性曲線Ｃによって示されるような、画像ライン毎に交代する極性を持つ。その結果、積分器８はその出力において殆ど０に近い値を持つ信号を供給し、この値の周りで僅かな変動しかしない。このことが図３の特性曲線Ｄによって示される。 PAL伝送標準のカラー映像信号が存在すると、信号Ｄは明らかに SECAM伝送標準の信号よりも小さい電圧値を持つことを、この曲線は示している。図１の回路配置の比較器11の出力は SECAM伝送標準の信号を同定識別する識別信号ＶSEC を最早や供給しない。
【００４３】
図４は、ミクサ１の出力に生じる下向きに変換されたカラーバーストの周波数ポジションを示す。下向きに変換されたカラーバーストF0R'は0.654MHzの周波数を持ち、下向きに変換されたカラーバーストF0B'は0.810MHzの周波数を持つ。そうすると、図１に示す回路配置の並列共振回路４の自然共振周波数は、理想的には0.732MHzのところに来る。これらの理想的な周波数比は図４の上側に示されている。図４の下側は、ノミナル周波数0.732MHzに対して自然共振周波数の５％の差があるところに生起する0.77 MHzという並列共振回路の自然共振周波数を示している。図４の下側は、自然共振周波数の５％の差があるところであってもこの周波数はやはり下向きに変換されたカラーバーストの２つの周波数の中間に在ることを示している。従ってこの重要な要求条件はやはり充たされている。積分をしても並列共振回路の自然共振周波数の５％の差はやはり維持されることができるのだから、この情況によって並列共振回路を含む全回路配置の積分が許容されるのである。従って調整は必要とされない。
【図面の簡単な説明】
【図１】図１は、SECAM 伝送標準のカラー映像信号であることを同定識別する回路配置の概略ブロック図である。
【図２】図２は、図１の回路配置が SECAM伝送標準のカラー映像信号を受信したとき、該回路配置中に生じる幾つかの信号を時間の関数として示す図である。
【図３】図３は、上記回路配置が PAL伝送標準のカラー映像信号を受信したときの図２と同様の信号を示す図である。
【図４】図４は、ミクサの出力におけるカラーバーストと、もし公差があるならばそれを伴うところの並列共振回路の自然共振周波数との周波数ポジションを示す図である。
【符号の説明】
１  ミクサ
３  逓倍器
４  並列共振回路
６  低域通過フィルタ
７  整流器
８  積分器
９  キャパシタンス
11  比較器
13  スイッチ
14  抵抗
【図１】
0003818736.tif 000002
【図２】
0003818736.tif 000003
【図３】
0003818736.tif 000004
【図４】
0003818736.tif 000005